(57)【特許請求の範囲】
【請求項１】
厨房家具におけるワークトップのサイドガードとべースキャビネットの側面に垂直にあてがう化粧板であって、化粧板とワークトップのサイドガードの対応箇所には、夫々互いに掛け外し自在な掛止部及び被掛止部からなる掛止手段を設け、別途ベースキャビネットの側板と化粧板をビス等の固着具で固定する取付構造において、
掛止手段の掛止部を、化粧板表面に添う取付片及びこれと一体にして突出すると共に左右に折り起してなる翼片とからなる掛止具を複数とし、被掛止部を、ワークトップをステンレス鋼板を折曲して平坦面及び垂下面を形成するものとして垂下面の開放端に掛止具の翼片の入り込むスロットにより構成し、掛止具の翼片はサイドガード上部内をスライドして掛止することができるようにしたことを特徴とする化粧板の取付構造。
【請求項２】
請求項１記載の化粧板の取付構造であって、被掛止部のスロットを垂下面の開放端につながる門型としたことを特徴とする請求項１記載の化粧板の取付構造。
【請求項３】
請求項１記載の化粧板の取付構造であって、被掛止部のスロットを垂下面に窓型としたことを特徴とする請求項１記載の化粧板の取付構造。
【請求項４】
化粧板をウォールキャビネットの側面までを一体に覆うものとし、ウオールキャビネットの側板と化粧板をビスなどの固着具により固定することを特徴とする請求項１又は請求項２記載の化粧板の取付構造。
【発明の詳細な説明】
【０００１】
【発明の属する技術分野】
この発明は、システムキッチンなど厨房家具の側面を覆う化粧板の取付構造に関するものであり、詳しくはワークトップの側面とベースキャビネットの側板を覆う化粧板の取付構造に関するものである。
【０００２】
【従来の技術】
一般的にシステムキッチンは複数のベースキャビネット上に、シンクを一体とするか或いは別途シンクを取り付けるようにしたワークトップを載置固定する構造となっている。
出願人は、図８に示すようにワ一クトップのバックガード及び左右のサイドガードを２０６ｍｍ程度となるよう特別に高く構成しバックガードに小物掛けや収納ポケットを一体に形成し、ワ一クトップの機能性と水仕舞いの向上を図ったシステムキッチンを提供した。
【０００３】
このようなシスムキッチンでは、サイドガードの裏側となる外側面とベースキャビネット側板が室内に露出する配置となりがちで、この場合美感上好ましくないため、ここを全体として化粧板で覆う手段が取られている。
その手段として、出願人は図９、図１０のように化粧板１０をべ一スキャビネット２０とワークトップのサイドガード３０にあてがい固定する手段を採用していた。
すなわち、化粧板１０の上部にはＺ型をなし、ビスによる取付片５０ａと化粧板１０と間隔をもった引掛片５０ｂとからなる掛止金具５０、５０を設けるようにする。一方、ステンレス製のサイドガード３０の上端は平坦面及び垂下面により逆コ字状に折曲してあり、垂下片の内面に掛止金具５０の引掛片５０ｂが入り込むように化粧板１０を傾けて潜り込ませ（図９）てから、化粧板１０を垂直に立ち上がらせ、次いでベースキャビネット２０の内側から化粧板１０に達するビス６０をねじ込むことで固定していた。
【０００４】
【発明が解決しようとする課題】
化粧板１０を傾けて引掛片５０ｂを変形させつつ入り込ませるようにするので、化粧板１０とサイドガード３０に隙間が生じがちとなり、ビス６０によってベースキャビネット２０と化粧板１０をねじ込み固定すると、化粧板１０上部が離反するように外側に反りがちで、隙間を大きくするという不都合が生じていた。
【０００５】
また、施工現場における要請は、キッチンの前面側から化粧板１０を傾けることなく垂直に立てた状態のままで壁に向かって押し込み取り付けできることであった。
その理由は、例えば図８の右側に殆ど隙間がなく内壁などが存在すれば化粧板１０を傾けて掛止金具５０の引掛片５０ｂをサイドガード３０に入り込ませることができなくなるからである。
また、特に図７に示すように、化粧板を長尺としてウォールキャビネットの側面を含めて天井にまで達するようなサイズのものを採用しようとすると、壁面上部のウォールキャビネットにぶつかって化粧板を傾ける余地がなく取り付けできないからである。
【０００６】
【課題を解決するための手段】
本発明は、以上のようなサイドガードの高い厨房家具の側面を覆う化粧板の固定手段を改良することを目的とし、更にワークトップのサイドガードが高いシステムキッチンに好適で、取り付け作業性の良い化粧板の取付構造を提供しようとするものである。
【０００７】
請求項１の発明の要旨とするのは、厨房家具におけるワークトップのサイドガードとべースキャビネットの側面に垂直にあてがう化粧板であって、化粧板とワークトップのサイドガードの対応箇所には、夫々互いに掛け外し自在な掛止部及び被掛止部からなる掛止手段を設け、別途ベースキャビネットの側板と化粧板をビス等の固着具で固定する取付構造において、掛止手段の掛止部を、化粧板表面に添う取付片及びこれと一体にして突出すると共に左右に折り起してなる翼片とからなる掛止具を複数とし、被掛止部を、ワークトップをステンレス鋼板を折曲して平坦面及び垂下面を形成するものとして垂下面の開放端に掛止具の翼片の入り込むスロットにより構成し、掛止具の翼片はサイドガード上部内をスライドして掛止することができるようにしたことを特徴とするものである。
【０００８】
請求項２の発明の要旨とするのは、被掛止部のスロットを垂下片の開放端につながる門型としたことを特徴とするものであり、請求項３の発明の要旨とするのは、被掛止部のスロットを垂下面に窓型として形成したことを特徴とするものである。
【０００９】
請求項３の発明は、化粧板を高くしてベースキャビネットからウォールキャビネットの側面までを一体に覆うものとし、ウオールキャビネットの側板と化粧板をビスなどの固着具により固定することを特徴とするものである。
【００１０】
【発明の実施の形態】
以下、図面に示す実施の形態に即して本発明を説明する。
図１乃至図４は、化粧板１を食器洗浄乾燥機を収蔵した機器収納用ベースキャビネット２の側面板２１とステンレス鋼板にて形成したワークトップＷのサイドガード３の側面部を覆うように取り付けた状態を示すものである。
この化粧板１は、図２に示すように高さはサイドガード３上部までとほぼ一致するか若干（１０ｍｍ）程度高くしてあるが、並列させたベースキャビネット群の奥行きよりも長くしてある。片開きの扉でなく機器収納用ベースキャビネット２を引き出し式としてあるので支障はない。
【００１１】
化粧板１は、むくの木製或いは周囲及び中に補強板を配して肉薄の合板を貼ったサンドイッチ構造のものとする。
この化粧板１のサイドガード３の上部にあてがう側の表面に設ける掛止部４は、図示の実施例では金属にて一体に形成した二つの掛止具５、５にて形成するようにしている。
掛止具５（図３ａ〜図３ｃ参照）は、化粧板１の片面に添わせる矩形の取付片５１とサイドガード３の上部内にスライドして入り込む翼片５２とからなる。
取付片５１はビス６にて化粧板１にねじ込むもので、微調整可能なように縦方向に長いビス用穴５１ａを一対設けてある。
翼片５２は、サイドガード３側に突出するように連設し、さらに左右に折り起してなるものである。
【００１２】
サイドガード３側の被掛止部７は、図示の例ではサイドガード３自体にて構成するようにしてある。
すなわち、サイドガード３上端を外側に断面コ型になるように平坦面３１、垂下面３２というように屈曲して逆溝形とし、下向きの垂下面３２の開放端につながり掛止具５の翼片５２の入り込む二つの門型のスロット３２ａ、３２ａを設けて構成している。スロット３２ａ、３２ａは門型（下方が開放しているという意）であれば形状は問わない。
化粧板１に取り付けた掛止具５の翼片５２をスロット３２ａ、３２ａと合致させるように入り込ませ化粧板１とサイドガード３の垂下面３２外側とを添わせ、次いで化粧板１自体を奥へスライドさせて翼片５２がサイドガード３の垂下面３２の内面に添うように潜り込ませる。このようにして化粧板１をサイドガード３に連結する。
あとは、機器収納用ベースキャビネット２の側面板２１の内側からビス等の固着具を化粧板１までねじ込み固定することになる。
【００１３】
掛止具５及び被掛止部７の配置箇所は、図２に示すように化粧板１を垂直に立ててベースキャビネット２の手前側の位置で入り込ませ、機器収納用ベースキャビネット２の背面側に押し込むようにスライドさせることで連結するようにすれば、予め機器収納用ベースキャビネット２などのベースキャビネット群を壁面に沿って設置固定しておいても簡単に取り付けることができることになる。
【００１４】
図５、図６は被掛止部７の別の実施態様を示すもので、スロット３２ａ、３２ａを垂下面３２に窓穴として構成したものを示すものである。
このような構成とすることもできるが、掛止具５の取り付け位置や施工現場での作業精度が要求されることになる。この場合はスライドさせて潜り込ませる側の翼片５２を長くして垂下面３２の内面への接合面積を広げれば、二つの掛止具５、５で十分な掛止手段となる。
【００１５】
図７は、厨房家具としてのベースキャビネット及びサイドガードのみならず上部に延長してウォールキャビネット８の側面までの長さの化粧板１について適用した例である。
基本的な構成は図１乃至図６に示したものと同一であるので説明は省略する。この化粧板１の上部は図示しないが、ウォールキャビネット８の内側からビス止めすることで固定する。
このように化粧板１が床面から天井に至る長さであると、従来の手段では化粧板１を傾けなければならないのでサイドガードと化粧板を掛止手段により繋げることはできなかった。
【００１６】
【発明の効果】
請求項１乃至請求項４の発明では、キッチンの前面側から化粧板を傾けることなく直立させたままで掛止部を被掛止部に入り込ませスライドさせることで、化粧板をサイドガードに掛止することができるので、掛止部や被掛止部は取り付け作業に際して変形することがなく、最少の隙間でも取り付け可能で、しかも作業性が良好となる。
請求項２の発明では、スロットを下向きに開放した構成としたため、掛止具を入れ込み易く、上下の取付位置の制約を緩和できる。
請求項４の発明では、化粧板が長尺でウォールキャネットにより傾ける余地がない場合従来の掛止手段では対応できなかったのを可能としたことになる。
【図面の簡単な説明】
【図１】この発明に係る化粧板の取付方法を示す斜視図である。
【図２】化粧板を想像線で示す取付状態の側面図である。
【図３】ａ〜ｃは掛止具の夫々平面図、正面図、側面図である。
【図４】取付状態の斜視図である。
【図５】別の実施形態を示すサイドガードの斜視図である。
【図６】取付方法を示す斜視図である。
【図７】さらに別の実施形態を示すもので、長い化粧板とした場合の取付状態の斜視図である。
【図８】従来例の斜視図である。
【図９】取り付け方法を示す要部斜視図である。
【図１０】化粧板とキャビネットの固定手段を示す概略斜視図である。
【符号の説明】
１  化粧板
２  機器収納用ベースキャビネット
３  サイドガード
３１  平坦面
３２  垂下面
３２ａ  スロット
４  掛止部
５  掛止具
６  ビス
７  被掛止部
【図１】
0004598283.tif 000002
【図２】
0004598283.tif 000003
【図３】
0004598283.tif 000004
【図４】
0004598283.tif 000005
【図５】
0004598283.tif 000006
【図６】
0004598283.tif 000007
【図７】
0004598283.tif 000008
【図８】
0004598283.tif 000009
【図９】
0004598283.tif 000010
【図１０】
0004598283.tif 000011